(57)【要約】【課題】表示モジュールとカメラモジュールとの相対的な位置関係を精度よく定めることができる電子機器を得ることにある。【解決手段】電子機器は、筐体、表示モジュール、ホルダーおよびカメラモジュールを備えている。前記筐体は、開口部が設けられた前面を有している。前記表示モジュールは、前記筐体に収容されているとともに、前記開口部に露出された画面を有している。前記ホルダーは、前記表示モジュールに固定されている。前記カメラモジュールは、前記筐体の外を撮像するように前記ホルダーに保持されている。【選択図】図７
2013081040.tif 000002
【特許請求の範囲】
【請求項１】
前面に開口部が設けられた筐体と、
前記筐体に収容され、前記開口部に露出された画面を有する表示モジュールと、
前記表示モジュールに固定されたホルダーと、
前記ホルダーに保持され、前記筐体の外を撮像するカメラモジュールと、
を具備する電子機器。
【請求項２】
請求項１の記載において、前記カメラモジュールは、基板と、前記基板に実装されたカメラと、を含み、前記カメラが前記画面の幅方向に沿う中心を通って前記画面の高さ方向に延びる中心線の上に位置された電子機器。
【請求項３】
請求項２の記載において、前記表示モジュールは、前記画面を有する表示パネルと、前記表示パネルを取り囲むとともに前記筐体よりも剛性が高い外枠と、を含み、前記ホルダーが前記外枠に固定された電子機器。
【請求項４】
請求項３の記載において、前記外枠は、前記外枠の外側に向けて突出された複数のボス部を有し、前記カメラモジュールの前記基板が前記ボス部の先端にねじを介して固定されているとともに、前記ねじの先端が前記ボス部の内側に位置された電子機器。
【請求項５】
請求項４の記載において、前記外枠は、前記ボス部が形成されたフランジ部を有し、前記表示パネルと前記外枠の前記フランジ部との間に内蔵物が収容された電子機器。
【請求項６】
請求項２の記載において、前記ホルダーは、前記表示モジュールの外周部に固定されたホルダー本体と、前記ホルダー本体に固定された押え板と、を含み、前記ホルダー本体および前記押え板は、互いに協働して前記カメラモジュールの前記基板を挟み込むように構成された電子機器。
【請求項７】
請求項２の記載において、前記カメラは、前記カメラの視野の中心を通って前記画面の前方に向かう光軸を有し、前記光軸が水平線に対し前記画面の高さ方向に傾いた電子機器。
【請求項８】
請求項７の記載において、前記ホルダーは、前記表示モジュールの外周部に固定されたホルダー本体と、前記ホルダー本体に設けられ、前記表示モジュールの前記基板に突き当たることで前記カメラの前記光軸が傾くように前記カメラモジュールの姿勢を定める複数の突起と、前記ホルダー本体に固定され、前記基板を前記突起との間で挟み込んで保持する押え板と、を具備する電子機器。
【請求項９】
請求項２ないし請求項８のいずれかの記載において、前記表示モジュールの前記画面がレンチキュラーシートで覆われた電子機器。
【請求項１０】
筐体と、
前記筐体に収容された表示モジュールと、
前記表示モジュールの外周部に固定され、前記筐体の内面から離れたホルダーと、
前記ホルダーに保持され、前記筐体の外の情報を取り込むカメラモジュールと、
を具備する電子機器。
【請求項１１】
請求項１０の記載において、前記表示モジュールは、前記筐体の外に露出された画面を有する表示パネルと、前記表示パネルを取り囲むとともに前記筐体よりも剛性が高い外枠と、を含み、前記ホルダーが前記外枠に固定された電子機器。
【請求項１２】
請求項１１の記載において、前記カメラモジュールは、基板と、前記基板に実装されたカメラと、を含み、前記カメラが前記画面の幅方向に沿う中心を通って前記画面の高さ方向に延びる中心線の上に位置された電子機器。
【請求項１３】
筐体と、
表示パネルと、前記表示パネルを取り囲むとともに前記筐体よりも剛性が高い外枠と、前記外枠から前記外枠の外側に突出された複数のボス部と、を含み、前記筐体に収容された表示モジュールと、
前記表示モジュールの前記ボス部の先端に固定されるとともに、前記ボス部の間で前記外枠に接する係合部を有するホルダーと、
前記ホルダーに保持され、前記筐体の外の情報を取り込むカメラモジュールと、
を具備する電子機器。
【請求項１４】
請求項１３の記載において、前記ボス部は、前記表示モジュールの幅方向に互いに離れているとともに、前記係合部は、前記表示モジュールの奥行き方向に延びている電子機器。
【請求項１５】
請求項１３又は請求項１４の記載において、前記カメラモジュールは、基板と、前記基板に実装されたカメラと、を含み、前記カメラが前記画面の幅方向に沿う中心を通って前記画面の高さ方向に延びる中心線の上に位置された電子機器。
【発明の詳細な説明】
【技術分野】
【０００１】
本発明の実施形態は、カメラモジュールを搭載した電子機器に関する。
【背景技術】
【０００２】
液晶テレビのような電子機器では、例えば視聴者を認識するカメラを搭載することが試されている。カメラは、液晶パネルと一緒に筐体の内部に収容されているとともに、筐体の前面から筐体の外の情報を取り込むようになっている。
【先行技術文献】
【特許文献】
【０００３】
【特許文献１】特開２００３−１９８９９０号公報
【発明の概要】
【発明が解決しようとする課題】
【０００４】
例えば、カメラが取り込んだ情報に基づいて液晶パネルに表示される映像情報を制御する場合、カメラと液晶パネルとの位置関係が重要となる。
【０００５】
本発明の目的は、表示モジュールとカメラモジュールとの相対的な位置関係を精度よく定めることができる電子機器を得ることにある。
【課題を解決するための手段】
【０００６】
実施形態によれば、電子機器は、筐体、表示モジュール、ホルダーおよびカメラモジュールを備えている。前記筐体は、開口部が設けられた前面を有している。前記表示モジュールは、前記筐体に収容されているとともに、前記開口部に露出された画面を有している。前記ホルダーは、前記表示モジュールに固定されている。前記カメラモジュールは、前記筐体の外を撮像するように前記ホルダーに保持されている。
【図面の簡単な説明】
【０００７】
【図１】実施形態に係る液晶テレビの正面図。
【図２】実施形態に係る液晶表示モジュールの正面図。
【図３】図２のＦ３の箇所を拡大して示す正面図。
【図４】カメラホルダーにカメラモジュールを組み込んだ状態を示す斜視図。
【図５】カメラホルダーおよびカメラモジュールを分解して示す斜視図。
【図６】液晶表示モジュールの外枠とカメラモジュールが保持されたカメラホルダーとの位置関係を示す斜視図。
【図７】図１のＦ７−Ｆ７線に沿う断面図。
【図８】液晶表示モジュールの外枠とカメラホルダーとの位置関係を示す断面図。
【発明を実施するための形態】
【０００８】
以下、実施形態について図１ないし図８を参照して説明する。
【０００９】
図１は、電子機器の一例である液晶テレビ１を開示している。液晶テレビ１は、卓上スタンド２とテレビ本体３とを備えている。卓上スタンド２は、例えばテレビ台の設置面４の上に据え付けられているとともに、テレビ本体３を支持している。
【００１０】
図１、図７および図８に示すように、テレビ本体３は、キャビネット６、フレーム７および液晶表示モジュール８で構成されている。キャビネット６は筐体の一例であって、フロントカバー１０、バックカバー１１および化粧パネル１２を備えている。
【００１１】
フロントカバー１０は、合成樹脂製であり、第１ないし第４の縁部１０ａ，１０ｂ，１０ｃ，１０ｄを有している。第１の縁部１０ａおよび第３の縁部１０ｃは、キャビネット６の幅方向に水平に延びているとともに、キャビネット６の高さ方向に互いに間隔を存して平行に配置されている。第２の縁部１０ｂおよび第４の縁部１０ｄは、キャビネット６の高さ方向に垂直に延びているとともに、キャビネット６の幅方向に互いに間隔を存して平行に配置されている。
【００１２】
このため、第１ないし第４の縁部１０ａ，１０ｂ，１０ｃ，１０ｄは、互いに協働して四角い開口部１３を規定している。
【００１３】
バックカバー１１は、合成樹脂製の四角い板である。バックカバー１１は、フロントカバー１０に組み合わされてフロントカバー１０を背後から覆っている。
【００１４】
化粧パネル１２は、開口部１３の下方でキャビネット６の全幅に亘って水平に延びている。化粧パネル１２は、開口部１３の下縁を規定する第１の縁部１０ａとバックカバー１１の下縁部との間に跨っている。化粧パネル１２は、フロントカバー１０と協働してキャビネット６の前面６ａを構成している。
【００１５】
フレーム７は、液晶表示モジュール８を支持する要素であって、例えば板金材で構成されている。フレーム７は、バックカバー１１の内面にねじ止めのような手段で固定されている。
【００１６】
本実施形態の液晶表示モジュール８は、例えば専用の眼鏡を使用せずに３次元映像を再現するように構成された裸眼式の表示モジュールであって、前記キャビネット６の内部に収容されている。
【００１７】
図２、図７および図８に示すように、液晶表示モジュール８は、液晶パネル１５、光拡散板１６、バックライト１７および外枠１８を備えている。液晶パネル１５は、表示パネルの一例であって、映像を映し出す画面１９を有している。画面１９は、レンチキュラーシート２０で覆われている。
【００１８】
光拡散板１６は、半透明な板であり、液晶パネル１５の背面に配置されている。バックライト１７は、液晶パネル１５の背後に配置されて、光拡散板１６と間隔を存して向かい合っている。
【００１９】
外枠１８は、液晶パネル１５、光拡散板１６およびバックライト１７を取り囲んだ状態で、これら液晶パネル１５、光拡散板１６およびバックライト１７を保持している。外枠１８は、液晶パネル１５の画面１９を外れた液晶表示モジュール８の外周部に位置されている。さらに、外枠１８は、例えば板金材のような金属材料で構成され、合成樹脂製のキャビネット６よりも剛性が高い。
【００２０】
外枠１８は、ベゼル２２およびバックパネル２３を備えている。ベゼル２２は、液晶パネル１５の画面１９の周囲に位置されており、画面１９を覆うレンチキュラーシート２０の外周部がベゼル２２の内面に接合されている。レンチキュラーシート２０は、キャビネット６の開口部１３からキャビネット６の外に露出されている。
【００２１】
第１のフランジ部２４がベゼル２２の外周縁部に一体に形成されている。第１のフランジ部２４は、ベゼル２２の外周縁部からベゼル２２の後方に向けて略直角に折り曲げられているとともに、ベゼル２２の周方向に連続している。
【００２２】
第１のフランジ部２４は、水平部２５を有している。水平部２５は、液晶パネル１５の下方を通って液晶パネル１５の幅方向に延びている。一対のボス部２６ａ，２６ｂが水平部２５に形成されている。ボス部２６ａ，２６ｂは、夫々水平部２５から下向きに一体的に張り出すとともに、その突出端にフラットな支持面２７を有している。さらに、ねじ孔２８および位置決め用の通孔２９が支持面２７の中央部に一体に形成されている。
【００２３】
図２および図３に示すように、ボス部２６ａ，２６ｂは、液晶パネル１５の画面１９の幅方向に互いに離れている。本実施形態では、画面１９の幅方向に沿う中央を通って画面１９の高さ方向に延びる中心線Ｃ１が、ボス部２６ａ，２６ｂの間に位置されている。
【００２４】
図７および図８に示すように、バックパネル２３は、バックライト１７を背後から覆うように前記フレーム７の前面にねじ止め等の手段により固定されている。第２のフランジ部３０がバックパネル２３の外周縁部に一体に形成されている。第２のフランジ部３０は、バックパネル２３の外周縁部からバックパネル２３の前方に向けて折り曲げられているとともに、バックパネル２３の周方向に連続している。
【００２５】
第２のフランジ部３０のうち、液晶パネル１５の下方を通って液晶パネル１５の幅方向に延びる箇所に折り返し部３１が一体に形成されている。折り返し部３１は、第２のフランジ部３０の先端からバックパネル２３の後方に向けて直角に折り曲げられている。
【００２６】
さらに、折り返し部３１は、前記ボス部２６ａ，２６ｂを有する水平部２５の上に位置されて、当該水平部２５と向かい合っている。本実施形態では、回路部品３２が水平部２５と折り返し部３１との間の隙間に収容されている。
【００２７】
回路部品３２は、内蔵物の一例であって、合成樹脂製のケース３３と、ケース３３の内部に収容された回路板３４とで構成されている。回路部品３２は、水平部２５の上でボス部２６ａ，２６ｂの開口端を塞いでいる。
【００２８】
一方、本実施形態に係る液晶テレビ１は、カメラモジュール４０を搭載している。カメラモジュール４０は、三次元映像を映し出す画面１９に対し視聴者がどのあたりにいるのかを認識するための要素である。
【００２９】
図４ないし図７に示すように、カメラモジュール４０は、液晶表示モジュール８と一緒にキャビネット６の内部に収容されている。本実施形態によると、カメラモジュール４０は、液晶表示モジュール８の下方に配置されている。
【００３０】
カメラモジュール４０は、モジュール基板４１、カメラ４２、複数のチップ部品４３およびコネクタ４４を備えている。
【００３１】
モジュール基板４１は、液晶パネル１５の幅方向に延びる細長いプリント配線板で構成され、第１の面４５ａおよび第２の面４５ｂを有している。第２の面４５ｂは、第１の面４５ａの裏側に位置されている。
【００３２】
カメラ４２は、モジュール基板４１の第１の面４５ａに半田付け等の手段により固定されて、モジュール基板４１の長手方向に沿う一端部に位置されている。カメラ４２は、撮像時の視野を定める前面レンズ４６と、前面レンズ４６を透過した光を受ける撮像素子４７とを有している。さらに、カメラ４２は、光軸Ｆ１を有している。光軸Ｆ１は、カメラ４２の視野の中心を通って真っ直ぐに延びている。
【００３３】
チップ部品４３は、カメラ４２の動作を制御するための要素であり、モジュール基板４１の第１の面４５ａおよび第２の面４５ｂに実装されている。
【００３４】
コネクタ４４は、モジュール基板４１の第２の面４５ｂに半田付け等の手段により固定されている。コネクタ４４は、カメラハーネスを介して液晶パネル１５を駆動する制御手段に電気的に接続されている。
【００３５】
図４ないし図８に示すように、カメラモジュール４０は、合成樹脂製のカメラホルダー５０を介して液晶表示モジュール８の外枠１８に固定されている。カメラホルダー５０は、ホルダー本体５１と押え板５２とを備えている。
【００３６】
ホルダー本体５１は、前面パネル５３を有している。前面パネル５３は、モジュール基板４１よりも一回り大きな長方形状であり、液晶パネル１５の幅方向に延びている。
【００３７】
フランジ部５５が前面パネル５３の一側縁部に形成されている。フランジ部５５は、前面パネル５３の一側縁部から略直角に折り曲げられている。一対のねじ挿入孔５６ａ，５６ｂおよび一対の円柱状の突起５７ａ，５７ｂがフランジ部５５に形成されている。ねじ挿入孔５６ａ，５６ｂは、外枠１８のボス部２６ａ，２６ｂのねじ孔２８に対応するように、フランジ部５５の長手方向に離れている。同様に、突起５７ａ，５７ｂは、ボス部２６ａ，２６ｂの通孔２９に対応するように、フランジ部５５の長手方向に離れている。
【００３８】
カメラホルダー５０のフランジ部５５は、ボス部２６ａ，２６ｂの支持面２７に突き合わされている。この際、突起５７ａ，５７ｂが通孔２９に嵌合されて、ねじ挿入孔５６ａ，５６ｂがねじ孔２８に同軸状に合致するようなっている。
【００３９】
図６ないし図８に示すように、一対のねじ５８がフランジ部５５の下方からねじ挿入孔５６ａ，５６ｂに挿入されている。ねじ５８は、ねじ挿入孔５６ａ，５６ｂを貫通してねじ孔２８にねじ込まれている。
【００４０】
このねじ込みにより、ホルダー本体５１がベゼル２２の水平部２５に固定されているとともに、ホルダー本体５１の前面パネル５３がキャビネット６の内側で化粧パネル１２の内面と向かい合うように起立されている。
【００４１】
図８に最もよく示されるように、ホルダー本体５１をベゼル２２の水平部２５に固定した状態では、ねじ５８の先端５８ａがボス部２６ａ，２６ｂの内側に収まっている。言い換えると、ねじ５８の先端５８ａがベゼル２２の水平部２５とバックパネル２３の折り返し部３１との間に突出しておらず、これら水平部２５と折り返し部３１との間に回路部品３２を収めるスペースを充分に確保することができる。
【００４２】
リブ状の壁部５９がカメラホルダー５０のフランジ部５５に一体に形成されている。壁部５９は、係合部の一例であり、フランジ部５５からベゼル２２の水平部２５に向けて突出されている。壁部５９は、ねじ挿入孔５６ａ，５６ｂの間でフランジ部５５と直交する方向に延びている。
【００４３】
壁部５９は、ホルダー本体５１をベゼル２２の水平部２５に固定した時に、液晶表示モジュール８の奥行き方向に沿うとともに、図３に示すようにボス部２６ａ，２６ｂの間で水平部２５に突き当たっている。つまり、壁部５９は、ボス部２６ａ，２６ｂと同じ高さを有している。
【００４４】
この結果、ホルダー本体５１が液晶表示モジュール８の高さ方向に首を振るように変位するのを防止でき、ホルダー本体５１を外枠１８の定位置にしっかりと固定できる。
【００４５】
それとともに、図７および図８に示すように、ホルダー本体５１は、キャビネット６のフロントカバー１０の第１の縁部１０ａおよび化粧パネル１２から離れている。この結果、ホルダー本体５１とフロントパネル１０の第１の縁部１０ａとの間およびホルダー本体５１と化粧パネル１２との間に夫々隙間が存在し、ホルダー本体５１がキャビネット６から浮いた状態に保持されている。
【００４６】
図５ないし図７に示すように、前面パネル５３は、モジュール基板４１が嵌まり込む実装領域６１を有している。実装領域６１は、モジュール基板４１の外周縁を取り囲む第１ないし第４の壁部６２ａ，６２ｂ，６２ｃ，６２ｄで規定されている。第１ないし第４の壁部６２ａ，６２ｂ，６２ｃ，６２ｄは、前面パネル５３から前面パネル５３の後方に向けて突出されている。
【００４７】
複数のガイド突部６３が第１ないし第４の壁部６２ａ，６２ｂ，６２ｃ，６２ｄの内面に一体に形成されている。ガイド突起６３は、第１ないし第４の壁部６２ａ，６２ｂ，６２ｃ，６２ｄから実装領域６１に張り出している。ガイド突起６３は、モジュール基板４１の周方向に間隔を存して並んでいるとともに、モジュール基板４１の外周縁に摺動可能に接している。
【００４８】
第１の壁部６２ａは、起立されたモジュール基板４１の上縁に沿って水平に延びている。同様に、第２の壁部６２ｂは、起立されたモジュール基板４１の下縁に沿って水平に延びている。
【００４９】
第１の壁部６２ａと前面パネル５３とで規定された角部に複数の第１の突起６５が形成されている。第１の突起６５は、第１の壁部６２ａの長手方向に間隔を存して並んでいる。
【００５０】
第２の壁部６２ｂと前面パネル５３とで規定された角部に複数の第２の突起６６が形成されている。第２の突起６６は、第２の壁部６２ｂの長手方向に間隔を存して並んでいる。図７に示すように、第１の突起６５の先端および第２の突起６６の先端は、夫々モジュール基板４１の第１の面４５ａの外周部に突き当たっている。
【００５１】
第１の突起６５の先端は、第２の突起６６の先端よりも前面パネル５３の後方に位置されている。さらに、第１の突起６５の先端および第２の突起６６の先端は、鉛直線に対しホルダー本体５１の下方に進むに従いホルダー本体５１の前方に向けて傾いている。
【００５２】
前記押え板５２は、第１ないし第４の壁部６２ａ，６２ｂ，６２ｃ，６２ｄの先端に突き合わされて、実装領域６１を前面パネル５３の背後から覆っている。押え板５２は、前面パネル５３から突出されたねじ受け部６７にねじ６８を介して固定されている。
【００５３】
それとともに、押え板５２は、実装領域６１に向けて突出された複数の第３の突起６９を有している。第３の突起６９の先端は、モジュール基板４１の第２の面４５ｂの外周部に突き当たっている。
【００５４】
したがって、押え板５２は、ホルダー本体５１と協働してモジュール基板４１を挟み込んでいる。これにより、カメラモジュール４０がカメラホルダー５０の定位置に保持されている。
【００５５】
カメラモジュール４０のカメラ４２は、ホルダー本体５１の前面パネル５３に開けた通孔７１を通じてカメラホルダー５０の前方に向けて露出されている。さらに、前面パネル５３の通孔７１は、化粧パネル１２に開口されたカメラ窓７２からキャビネット６の前方に露出されている。カメラ窓７２は、光透過性を有するレンズカバー７３で塞がれている。
【００５６】
本実施形態では、モジュール基板４１に接する第１および第２の突起６５，６６の先端が傾いている。このため、図７に示すように、カメラモジュール４０は、カメラ４２の光軸Ｆ１が液晶パネル１５の前方に進むに従い上向きとなるように、画面１９の高さ方向に傾斜されている。水平線Ｇに対する光軸Ｆ１の傾斜角度αは例えば１１°であり、カメラ４２の視野の範囲内に視聴者の顔が位置するようになっている。
【００５７】
なお、カメラ４２の光軸Ｆ１の傾斜角度αは１１°に限定されるものではなく、水平線Ｇに対しある程度傾斜されていればよい。
【００５８】
図２および図３は、カメラモジュール４０がカメラホルダー５０を介して液晶表示モジュール８の外枠１８に保持された状態を示している。カメラモジュール４０のカメラ４２は、液晶パネル１５の画面１９の真下において、画面１９の中心線Ｃ１の上に位置されている。この結果、カメラ４２の光軸Ｆ１は、中心線Ｃ１と交差されている。
【００５９】
このような構成を有する液晶テレビ１によると、視聴者が液晶パネル１５の画面１９に映し出された三次元映像を見ている時に、カメラモジュール４０のカメラ４２は視聴者の顔を撮像し、画面１９に対する視聴者の顔の位置を液晶テレビ１の外の情報として取り込む。
【００６０】
具体的には、例えば床の上に座った姿勢で画面１９を見ていた視聴者が画面１９に対し少しずれて座った時に、カメラ４２は、視聴者の動きに関する情報を取り込む。取り込まれた情報は、液晶パネル１５の駆動手段に送られる。駆動手段は、カメラ４２から送られた情報に基づいて視聴者が画面１９に対しどのあたりにいるのかを認識するとともに、液晶パネル１５から視聴者に向かう画像を制御する。
【００６１】
この結果、画面１９を見ている視聴者が動いた場合でも、画面１９の上に映し出された三次元映像が乱れることがないように、三次元映像を視聴できる範囲が移動される。
【００６２】
本実施形態では、カメラモジュール４０が液晶表示モジュール８の外枠１８に固定されている。外枠１８は、テレビ本体３の外郭となるキャビネット６よりも剛性が高く、曲げやねじりに対して強い。
【００６３】
すなわち、キャビネット６を介さず液晶表示モジュール８にカメラモジュール４０を直に固定することで、カメラモジュール４０の取り付け時に生じ易いカメラモジュール４０の位置や姿勢のばらつき要因を減らして精度を上げることができる。
【００６４】
このため、カメラモジュール４０の姿勢が安定し、カメラ４２の光軸Ｆ１が液晶パネル１５の画面１９の中心を通る中心線Ｃ１と交差する位置にカメラ４２を精度よく固定することができる。
【００６５】
よって、画面１９を見ている視聴者が画面１９に対してどのあたりにいるのかを確実に見極めることができ、例えばカメラ４２が取り込んだ情報を基に液晶パネル１５から視聴者に向かう光の方向を制御する上で有益な構成となる。
【００６６】
さらに、本実施形態によると、液晶表示モジュール８の外枠１８に固定されたカメラホルダー５０は、キャビネット６から離れている。言い換えると、カメラホルダー５０は、キャビネット６に接することなくキャビネット６から浮いた状態に保たれている。
【００６７】
このため、例えば液晶テレビ１を設置面４に据え付ける時に、外枠１８よりも剛性に欠けるキャビネット６が撓んだとしても、キャビネット６がカメラホルダー５０と干渉するのを防止できる。
【００６８】
したがって、カメラホルダー５０に保持されたカメラモジュール８の位置が不所望に変動するのを回避でき、画面１９とカメラ４２との位置関係を高精度に維持することができる。
【００６９】
加えて、本実施形態では、カメラモジュール４０のモジュール基板４１をホルダー本体５１と押え板５２との間で挟み込んで保持している。この構成によれば、モジュール基板４１からねじ止め用の孔や切欠きを含むねじ止め箇所を排除することができ、その分、モジュール基板４１を小型化することができる。
【００７０】
それとともに、ホルダー本体５０の第１および第２の突起６５，６６の先端の傾き度合いを変更することで、カメラ４２の光軸Ｆ１の傾斜角度αを調整できるといった利点もある。
【００７１】
前記実施形態によると、カメラモジュールが液晶パネルの画面に下側に配置されている。しかしながら、カメラモジュールは画面の下側に限らず、画面の上側に配置してもよい。カメラモジュールを画面の上側に配置する場合、カメラの光軸を液晶パネルの前方に進むに従い下向きに傾斜させることが望ましい。
【００７２】
さらに、前記実施形態では、液晶テレビを電子機器の一例として説明したが、電子機器は液晶テレビに限定されるものではない。例えば、ノート型あるいはスレートタイプのポータブルコンピュータ、携帯電話、スマートフォン、ＰＤＡ(Personal Digital Assistant)、携帯形のゲーム機のようなその他の電子機器に広く適用が可能である。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
６…筐体（キャビネット）、６ａ…前面、８…表示モジュール（液晶表示モジュール）、１３…開口部、１５…表示パネル（液晶パネル）、１８…外枠、１９…画面、２６ａ，２６ｂ…ボス部、４０…カメラモジュール、５０…ホルダー（カメラホルダー）、５９…係合部（壁部）。
【図１】
2013081040.tif 000003
【図２】
2013081040.tif 000004
【図３】
2013081040.tif 000005
【図４】
2013081040.tif 000006
【図５】
2013081040.tif 000007
【図６】
2013081040.tif 000008
【図７】
2013081040.tif 000009
【図８】
2013081040.tif 000010
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
前面に開口部が設けられた筐体と、
前記筐体に収容され、前記開口部に露出された画面を有する表示モジュールと、
前記表示モジュールに固定されたホルダーと、
前記ホルダーに保持され、前記筐体の外を撮像するカメラモジュールと、を具備した電子機器であって、
前記カメラモジュールは、基板と、前記基板に実装されたカメラと、を含み、前記カメラが前記画面の幅方向に沿う中心を通って前記画面の高さ方向に延びる中心線の上に位置されているとともに、
前記ホルダーは、前記表示モジュールの外周部に固定されたホルダー本体と、前記ホルダー本体に固定された押え板と、を含み、前記ホルダー本体および前記押え板が互いに協働して前記カメラモジュールの前記基板を挟み込むように構成された電子機器。
【請求項２】
請求項１に記載の電子機器において、前記表示モジュールは、前記画面を有する表示パネルと、前記表示パネルを取り囲むとともに前記筐体よりも剛性が高い外枠と、を含み、前記ホルダーが前記外枠に固定された電子機器。
【請求項３】
請求項２に記載の電子機器において、前記外枠は、前記外枠の外側に向けて突出された複数のボス部を有し、前記ホルダーの前記ホルダー本体が前記ボス部の先端にねじを介して固定されているとともに、前記ねじの先端が前記ボス部の内側に位置された電子機器。
【請求項４】
請求項３に記載の電子機器において、前記外枠は、前記ボス部が形成されたフランジ部を有し、前記表示パネルと前記外枠の前記フランジ部との間に内蔵物が収容された電子機器。
【請求項５】
請求項１に記載の電子機器において、前記カメラは、前記カメラの視野の中心を通って前記画面の前方に向かう光軸を有し、前記光軸が水平線に対し前記画面の高さ方向に傾いた電子機器。
【請求項６】
請求項５に記載の電子機器において、前記ホルダーの前記ホルダー本体は、前記表示モジュールの前記基板に突き当たることで前記カメラの前記光軸が傾くように前記カメラモジュールの姿勢を定める複数の突起を有し、前記ホルダーの前記押え板は、前記基板を前記突起との間で挟み込んで保持するように構成された電子機器。
【請求項７】
請求項１ないし請求項６のいずれか一項に記載の電子機器において、前記表示モジュールの前記画面がレンチキュラーシートで覆われた電子機器。
【請求項８】
筐体と、
前記筐体に収容された表示モジュールと、
前記表示モジュールの外周部に固定され、前記筐体の内面から離れたホルダーと、
前記ホルダーに保持され、前記筐体の外の情報を取り込むカメラモジュールと、を具備した電子機器であって、
前記カメラモジュールは、基板と、前記基板に実装されたカメラと、を含み、前記カメラが前記表示モジュールの幅方向に沿う中心を通って前記表示モジュールの高さ方向に延びる中心線の上に位置されているとともに、
前記ホルダーは、前記表示モジュールの外周部に固定されたホルダー本体と、前記ホルダー本体に固定された押え板と、を含み、前記ホルダー本体および前記押え板は、互いに協働して前記カメラモジュールの前記基板を挟み込むように構成された電子機器。
【請求項９】
請求項８に記載の電子機器において、前記表示モジュールは、前記筐体の外に露出された画面を有する表示パネルと、前記表示パネルを取り囲むとともに前記筐体よりも剛性が高い外枠と、を含み、前記ホルダーが前記外枠に固定された電子機器。
【請求項１０】
筐体と、
表示パネルと、前記表示パネルを取り囲むとともに前記筐体よりも剛性が高い外枠と、前記外枠から前記外枠の外側に突出された複数のボス部と、を含み、前記筐体に収容された表示モジュールと、
前記表示モジュールの前記ボス部の先端に固定されるとともに、前記ボス部の間で前記外枠に接する係合部を有するホルダーと、
前記ホルダーに保持され、前記筐体の外の情報を取り込むカメラモジュールと、
を具備する電子機器。
【請求項１１】
請求項１０に記載の電子機器において、前記ボス部は、前記表示モジュールの幅方向に互いに離れているとともに、前記係合部は、前記表示モジュールの奥行き方向に延びている電子機器。
【請求項１２】
請求項１０又は請求項１１に記載の電子機器において、前記カメラモジュールは、基板と、前記基板に実装されたカメラと、を含み、前記カメラが前記画面の幅方向に沿う中心を通って前記画面の高さ方向に延びる中心線の上に位置された電子機器。
【手続補正２】
【補正対象書類名】明細書
【補正対象項目名】０００６
【補正方法】変更
【補正の内容】
【０００６】
実施形態によれば、電子機器は、前面に開口部が設けられた筐体と、前記筐体に収容され、前記開口部に露出された画面を有する表示モジュールと、前記表示モジュールに固定されたホルダーと、前記ホルダーに保持され、前記筐体の外を撮像するカメラモジュールと、を備えている。
前記カメラモジュールは、基板と、前記基板に実装されたカメラと、を含んでいる。前記カメラは、前記画面の幅方向に沿う中心を通って前記画面の高さ方向に延びる中心線の上に位置されている。前記ホルダーは、前記表示モジュールの外周部に固定されたホルダー本体と、前記ホルダー本体に固定された押え板と、を含んでいる。前記ホルダー本体および前記押え板は、互いに協働して前記カメラモジュールの前記基板を挟み込むように構成されている。
【手続補正３】
【補正対象書類名】明細書
【補正対象項目名】００７３
【補正方法】変更
【補正の内容】
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
[１] 前面に開口部が設けられた筐体と、
前記筐体に収容され、前記開口部に露出された画面を有する表示モジュールと、
前記表示モジュールに固定されたホルダーと、
前記ホルダーに保持され、前記筐体の外を撮像するカメラモジュールと、
を具備する電子機器。
[２] [１]の記載において、前記カメラモジュールは、基板と、前記基板に実装されたカメラと、を含み、前記カメラが前記画面の幅方向に沿う中心を通って前記画面の高さ方向に延びる中心線の上に位置された電子機器。
[３] [２]の記載において、前記表示モジュールは、前記画面を有する表示パネルと、前記表示パネルを取り囲むとともに前記筐体よりも剛性が高い外枠と、を含み、前記ホルダーが前記外枠に固定された電子機器。
[４] [３]の記載において、前記外枠は、前記外枠の外側に向けて突出された複数のボス部を有し、前記カメラモジュールの前記基板が前記ボス部の先端にねじを介して固定されているとともに、前記ねじの先端が前記ボス部の内側に位置された電子機器。
[５] [４]の記載において、前記外枠は、前記ボス部が形成されたフランジ部を有し、前記表示パネルと前記外枠の前記フランジ部との間に内蔵物が収容された電子機器。
[６] [２]の記載において、前記ホルダーは、前記表示モジュールの外周部に固定されたホルダー本体と、前記ホルダー本体に固定された押え板と、を含み、前記ホルダー本体および前記押え板は、互いに協働して前記カメラモジュールの前記基板を挟み込むように構成された電子機器。
[７] [２]の記載において、前記カメラは、前記カメラの視野の中心を通って前記画面の前方に向かう光軸を有し、前記光軸が水平線に対し前記画面の高さ方向に傾いた電子機器。
[８] [７]の記載において、前記ホルダーは、前記表示モジュールの外周部に固定されたホルダー本体と、前記ホルダー本体に設けられ、前記表示モジュールの前記基板に突き当たることで前記カメラの前記光軸が傾くように前記カメラモジュールの姿勢を定める複数の突起と、前記ホルダー本体に固定され、前記基板を前記突起との間で挟み込んで保持する押え板と、を具備する電子機器。
[９] [２]ないし[８]のいずれかの記載において、前記表示モジュールの前記画面がレンチキュラーシートで覆われた電子機器。
[１０] 筐体と、
前記筐体に収容された表示モジュールと、
前記表示モジュールの外周部に固定され、前記筐体の内面から離れたホルダーと、
前記ホルダーに保持され、前記筐体の外の情報を取り込むカメラモジュールと、
を具備する電子機器。
[１１] [１０]の記載において、前記表示モジュールは、前記筐体の外に露出された画面を有する表示パネルと、前記表示パネルを取り囲むとともに前記筐体よりも剛性が高い外枠と、を含み、前記ホルダーが前記外枠に固定された電子機器。
[１２] [１１]の記載において、前記カメラモジュールは、基板と、前記基板に実装されたカメラと、を含み、前記カメラが前記画面の幅方向に沿う中心を通って前記画面の高さ方向に延びる中心線の上に位置された電子機器。
[１３] 筐体と、
表示パネルと、前記表示パネルを取り囲むとともに前記筐体よりも剛性が高い外枠と、前記外枠から前記外枠の外側に突出された複数のボス部と、を含み、前記筐体に収容された表示モジュールと、
前記表示モジュールの前記ボス部の先端に固定されるとともに、前記ボス部の間で前記外枠に接する係合部を有するホルダーと、
前記ホルダーに保持され、前記筐体の外の情報を取り込むカメラモジュールと、
を具備する電子機器。
[１４] [１３]の記載において、前記ボス部は、前記表示モジュールの幅方向に互いに離れているとともに、前記係合部は、前記表示モジュールの奥行き方向に延びている電子機器。
[１５] [１３]又は[１４]の記載において、前記カメラモジュールは、基板と、前記基板に実装されたカメラと、を含み、前記カメラが前記画面の幅方向に沿う中心を通って前記画面の高さ方向に延びる中心線の上に位置された電子機器。
【手続補正４】
【補正対象書類名】明細書
【補正対象項目名】００７４
【補正方法】変更
【補正の内容】
【００７４】
６…筐体（キャビネット）、６ａ…前面、８…表示モジュール（液晶表示モジュール）、１３…開口部、１５…表示パネル（液晶パネル）、１８…外枠、１９…画面、２６ａ，２６ｂ…ボス部、４０…カメラモジュール、４１…基板（モジュール基板）、４２…カメラ、５０…ホルダー（カメラホルダー）、５１…ホルダー本体、５２…押え板、５９…係合部（壁部）。